【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
少なくとも１つの低融点繊維と少なくとも１つの高融点繊維成分を含むスレッドを形成し、
前記スレッドを、前記低融点繊維を溶融させるに十分な温度以上に加熱し、
前記スレッドをカーペット裏地にタフトし、タフテッドカーペットを形成し、及び
前記タフテッドカーペット上に画像を捺染する
方法により調製されるカーペット。
【請求項２】
前記低融点繊維が、混紡中、または合糸中、または撚り中、または紡糸中に前記スレッドに含められる請求項１に記載のカーペット。
【請求項３】
前記スレッドが、約６０℃〜約１６０℃の温度に加熱される請求項１または２に記載のカーペット。
【請求項４】
前記温度が、約１２０℃を超えない請求項３に記載のカーペット。
【請求項５】
前記低融点繊維がポリアミドを含む請求項１〜４のいずれか一項に記載のカーペット。
【請求項６】
前記ポリアミドが、ナイロン６，６、及びナイロン６から成る群から選択される請求項５に記載のカーペット。
【請求項７】
前記高融点繊維成分が、ナイロン、ウール、ポリエステル、ポリプロピレン、及びそれらの混合物から成る群から選択される請求項１〜６のいずれか一項に記載のカーペット。
【請求項８】
前記捺染が、モザイク形式で、液流染色機により行われる請求項１〜７のいずれか一項に記載のカーペット。
【請求項９】
前記高融点繊維成分が、ナイロン及びウールの少なくとも１つである請求項１〜６のいずれか一項に記載のカーペット。
【請求項１０】
前記高融点繊維成分が、ナイロン−ウール混合物である請求項１〜６のいずれか一項に記載のカーペット。
【請求項１１】
前記スレッドが、約０．５〜約８．０の番手を有する請求項１〜１０のいずれか一項に記載のカーペット。
【請求項１２】
前記スレッドが、約１．０〜約５．０の番手を有する請求項１１に記載のカーペット。
【請求項１３】
前記スレッドが、約２または約３の番手を有する請求項１１または１２に記載のカーペット。
【請求項１４】
フィラメント当たり約８〜約２８デニールのナイロンを含む請求項９に記載のカーペット。
【請求項１５】
前記ウールが、約２５〜約４０ミクロン、好ましくは約３８ミクロンである請求項９に記載のカーペット。
【請求項１６】
前記スレッドが、インチ当たり約１〜約１０撚りを有する請求項１〜１５のいずれか一項に記載のカーペット。
【請求項１７】
前記スレッドが、インチ当たり約５撚りを有する請求項１６に記載のカーペット。
【請求項１８】
前記スレッドが、２．５４ｃｍ（インチ）当たり約５撚りを有し、および１〜４プライである請求項１６または１７に記載のカーペット。
【請求項１９】
前記スレッドが、インチ当たり約４．５撚りを有する撚りナイロンである請求項１６または１７に記載のカーペット。
【請求項２０】
前記スレッドが、フィラメント当たり約６〜２５デニールを有する請求項１〜１０のいずれか一項に記載のカーペット。
【請求項２１】
前記スレッドが、フィラメント当たり約１９デニールを有する請求項２０に記載のカーペット。
【請求項２２】
前記スレッドが、前記低融点繊維を含めないで１〜４プライを有する請求項２０に記載のカーペット。
【請求項２３】
前記スレッドが、前記低融点繊維を含めないで２プライを有する請求項２２に記載のカーペット。
【請求項２４】
低融点繊維と高融点繊維成分を含むスレッドを形成する工程、
前記スレッドを、前記低融点繊維を溶融させるに十分な温度以上に加熱する工程、
前記スレッドをカーペット裏地にタフトし、タフテッドカーペットを形成する工程、及び
加熱後に前記タフテッドカーペット上に画像を捺染する工程
を包含する捺染されたカーペットを形成する方法。
【請求項２５】
前記低融点繊維と前記高融点繊維成分を含む混合繊維を形成し、及び
前記混合繊維のスレッドを形成する
ことをさらに包含する請求項２４に記載の方法により調製されるカーペット。
【請求項２６】
第１の繊維成分からスレッドを形成する工程、
前記スレッドを、低融点繊維またはスレッドを加えるところの合糸または巻繊工程に通す工程、
混合スレッドを形成するために紡糸する工程、
前記混合スレッドを、前記低融点繊維またはスレッドを溶融させるに十分な温度以上に加熱する工程、
加熱後、前記混合スレッドをカーペット裏地にタフトし、タフテッドカーペットを形成する工程、及び
前記タフテッドカーペット上に画像を捺染する工程
を包含する捺染されたカーペットを形成する方法。
【請求項２７】
請求項２６の方法により調製されるカーペット。
【請求項２８】
繊維混合物を形成する工程、
前記繊維混合物を、低融点繊維を前記繊維混合物に加え、混合スレッドを形成するところのリング精紡工程に通す工程、
前記混合スレッドを、前記低融点繊維を溶融させるに十分な温度以上に加熱する工程、
前記混合スレッドをカーペット裏地にタフトし、タフテッドカーペットを形成する工程、及び
前記タフテッドカーペット上に画像を捺染する工程
を包含する捺染されたカーペットを形成する方法。
【請求項２９】
請求項２８の方法により調製されるカーペット。
【請求項３０】
低融点繊維と高融点繊維を含む混合繊維を形成する工程、
前記混合繊維のスレッドを形成する工程、
前記スレッドを、前記低融点繊維を溶融させるに十分な温度以上に加熱する工程、
前記スレッドを、カーペット裏地にタフトし、タフテッドカーペットを形成する工程、及び
液流染色機を用いて、前記タフテッドカーペット上に画像を捺染する工程
を包含する液流染色により模様付けされたカーペットの形成方法。
【請求項３１】
請求項３０の方法により調製されるカーペット。
【請求項３２】
模様付けされたカーペットにおいて、第１の繊維成分、及び前記第１の繊維成分よりもより低い融点を有する少なくとも１つの第２の繊維成分を有するカーペット糸であって、前記カーペット糸が模様付け前に前記第２の繊維成分の少なくとも一部を溶融させるに十分に加熱されたことを包含する改善。
【手続補正２】
【補正対象書類名】明細書
【補正対象項目名】００４０
【補正方法】変更
【補正の内容】
【００４０】
糸中の好ましい標準または高融点繊維（すなわち、溶融しない繊維）は、好ましくは、標準ナイロン、高融点ナイロン、ウールまたは標準及び／若しくは高融点ナイロン並びに／またはウールの混合物である。本発明のカーペット糸は、好ましくは、ナイロン、ウール、ポリエステル、ポリプロピレン及びこれらの混合物から成る群から選択される紡績繊維を含む。番手の範囲は、好ましくは、１経糸につき約０．５〜約８．０であり、より好ましくは約１．０〜約５．０である。最も好ましくは、番手は約２または約３である。糸は、好ましくは、約１〜約１０のインチ当たりの撚り（ＴＰＩ）を有する。
【手続補正３】
【補正対象書類名】明細書
【補正対象項目名】００６０
【補正方法】変更
【補正の内容】
【００６０】
ウール及び／または１以上の標準若しくは高融点繊維成分と組み合わせて１以上の低融点繊維を含む糸が、モザイク捺染工程において画像様態に染色された場合に、カーペット製造方法において特に利点を提供する。とりわけ、図３Ｂ及び３Ｄに関して記載した通り、糸頭の密度が、糸内の繊維の拡散、または広がりを大きく低下させる。結果として、個々の糸頭を、隣接する糸頭と独立して染色することができる。さらに、糸頭は、各糸頭に染料の複数の画素を受け取らせるように十分に分散している。模様付けされた画像の効果的な画像解像度は、従来技術の糸により得られるものと比べて非常により高い。従来技術の糸頭は、混ざり合う傾向がある。混ざり合った結果として、染料の１の画素が個々の糸頭と、近傍の糸頭からの繊維に受け取られる。糸頭の繊維は動くために、模様は拡散するようになり、それにより全ての細かい捺染を不明瞭にする。結果として、カーペット製造業者は、既に拡散しており、さらに拡散された際に審美的な不満足感を与えることのない模様に制限されてきた。